(57)【要約】      （修正有）【課題】袋体へのロッドの確実な収容を図り、かつ釣竿、又は釣り道具保護を図り、釣人の信頼確保と、安心感の醸成確保が図れる釣竿用のロッドケースを提供する。【解決手段】シート状素材を二つ折りし、袋体１ａとした釣竿用のロッドケースであり、袋体は、緩衝材を備えた穂先保護部１００と、耐性の補強体を備えた竿本体部１０１と、釣竿グリップ部１０２からなり、釣竿グリップ部は、一本、又は複数本の締付けベルト１０を備え、かつ穂先本体部のカバー、又は釣竿本体部に折畳み添設可能な広幅スカート形態であり、袋体の開口部はファスナーで開閉自在である。【選択図】図５−１
0003220417.tif 000002
【実用新案登録請求の範囲】
【請求項１】
シート状素材を二つ折りにして、袋体とした釣竿用のロッドケースであって、
この袋体は、穂先保護部と、釣竿本体部と、釣竿グリップ部でなり、
前記穂先保護部には、緩衝材を備え、
少なくとも、前記釣竿本体部には、耐性の補強体を備え、
前記釣竿グリップ部は、前記穂先本体部のカバーか、又は前記釣竿本体部に折畳み添設かの、何れかができる広幅スカート形態（形状）を備え、
この釣竿グリップ部には、前記カバー、又は折畳み添設した際に、この釣竿グリップ部、及び前記釣竿本体部を一体にする、一本、又は複数本のベルトを備え、
前記袋体の開口部を閉めるファスナーを備え、
たことを特徴とした釣竿用のロッドケース。
【請求項２】
前記袋体には、前記開口部の反対面に、取手、及び／又は、肩掛けベルトを備えていることを特徴とした請求項１に記載の釣竿用のロッドケース。
【請求項３】
前記開口部の、少なくとも、対峙面に、パイピング（覆い布）を付設し、当該パイピングするとともに、このパイピングは、前記素材とは、別色とすることを特徴とした請求項１に記載の釣竿用のロッドケース。
【請求項４】
前記少なくとも、前記素材の色は黒色、前記パイピングの色は赤色、とすることを特徴とした請求項１に記載の釣竿用のロッドケース。
【請求項５】
前記開口部の反対面に、複数個の取付け部を備えた取付け布を設け、この取付け部に、前記肩掛けベルトの、少なくとも、二つのフックを着脱自在に係止することを特徴とした請求項１に記載の釣竿用のロッドケース。
【請求項６】
前記取付け布には、複数の係止隙間を形成することを特徴とした請求項５に記載の釣竿用のロッドケース。
【考案の詳細な説明】
【技術分野】
【０００１】
本考案は、複数本、少なくとも、８−１０本程度の、ルアー等のフィッシングのロッドを収容できる釣竿用のロッドケースに関する。
【背景技術】
【０００２】
従来、釣竿用のロッドケースとして、市販、及び／又は、市販されている釣竿用のロッドケースは、次のような、構造が考えられる。
【０００３】
市販されているロッドケースの中の一つは、一体型で、例えば、耐性等の素材で、細長筐形構造である。しかし、この一体型では、ロッドの収容と保管は有効であるが、搬送と収容に問題を残す。
【０００４】
また、市販品を含め、シート状素材を用いた構造のロッドケースに関しは、次のような関連文献がある。以下、順に、説明する。
【０００５】
最初に、実用新案登録第３１５９４７４号公報に記載の考案がある（文献（１）とする）。この文献（１）は、袋体（ケース本体部）を、伸縮可能とする構造であり、特徴は、大小ロッドの収容と、ケース本体部を折畳み収容できること等にある。
【０００６】
次に、特開２００２−１７１８８８号公報に記載の発明がある（文献（２）とする）。この文献（２）は、シート状素材を袋体形状にし、そのスカート裾部を、本体袋体に折畳み添接し、ベルト利用しロッドを捲装かつ収容する構造であり、特徴は、大小ロッドの収容と、ケース本体部を折畳み収容できること等にある。この発明は、単純に、シート状素材を利用して、ロッドとか、その他の釣り用品を収容するにとどまり、これらのロッド、又は釣り用具へのショック緩和し、その保護を補完するには、改良点がある。また、同じような発明として、米国特許第３９７２１４４号公報の構造がある（文献（３）とする）。
【０００７】
そして、更に、特開２０１７−１４００１７号公報に記載の発明がある（文献（４）とする）。この文献（４）は、シート材でなる袋体で、ロッドの穂先部、及びロッド本体を捲装収容し、ロッドのリールシート部、及びスカート部を捲装収容しない簡易な構造である。しかしながら、ロッドのリールシート部、及びスカート部を捲装収容しないのは、ロッド（釣竿）として、必要不可欠な機器と、人手で把握する箇所の保護に十分とはいなと考えられる。従って、改良の余地がある。
【特許文献１】実用新案登録第３１５９４７４号公報
【特許文献２】特開２００２−１７１８８８号公報
【特許文献３】米国特許第３９７２１４４号公報
【特許文献４】特開２０１７−１４００１７号公報
【考案の概要】
【考案が解決しようとする課題】
【０００８】
文献１−４は、全体として、ロッドを収容することに関しては、それなりの効果が期待できる。しかしながら、各特徴を発揮できる具体的な例と、構造が明記されておらず、その効果の信憑性に疑問を感じ得ないと思われる。
【０００９】
上記に鑑み、本考案は、構成、及び効果の明確化を開示する為に、本考案を提案する。
【課題を解決するための手段】
【００１０】
前述した、構成、及び効果の明確化を開示する為に、請求項１−６を提案する。
【考案の効果】
【００１１】
請求項１の発明は、シート状素材を二つ折りにして、袋体とした釣竿用のロッドケースであって、
袋体は、穂先保護部と、釣竿本体部と、釣竿グリップ部でなり、
穂先保護部には、緩衝材を備え、
少なくとも、釣竿本体部には、耐性の補強体を備え、
釣竿グリップ部は、穂先本体部のカバーか、又は釣竿本体部に折畳み添設かの、何れかができる広幅スカート形態（形状）を備え、
釣竿グリップ部には、カバー、又は折畳み添設した際に、釣竿グリップ部、及び釣竿本体部を一体にする、一本、又は複数本のベルトを備え、
袋体の開口部を閉めるファスナーを備え、
たことを特徴とした釣竿用のロッドケースである。
【００１２】
従って、請求項１は、袋体へのロッドの確実な収容を図り、かつ釣竿、又は釣り道具（道具と、その操作機器）等の保護を図り、釣人の信頼確保と、安心感の醸成確保が図れる。例えば、穂先は、穂先保護部の緩衝材で、また穂先全体、即ち、釣竿は、釣竿本体部に設けた耐性の補強体で、それぞれ保護し、釣人の信頼確保と、安心感の醸成確保が図れる。
【００１３】
また、ロッドと、また、釣竿、又は釣り道具（道具と、その操作機器）等の保護を図り得る構造を介し、かつ提供できる。
【００１４】
請求項２の発明は、袋体には、前記開口部の反対面に、取手、及び／又は、肩掛けベルトを備えていることを特徴とした釣竿用のロッドケースである。
【００１５】
従って、請求項２は、請求項１の特徴、及び効果の達成と、その為の取手、及び／又は、肩掛けベルトの構造を提供できる。
【００１６】
請求項３の発明は、開口部の、少なくとも、対峙面に、パイピング（覆い布）を付設し、縫合するとともに、パイピングは素材とは別色とすることを特徴とした釣竿用のロッドケースである。
【００１７】
従って、請求項３は、請求項１の特徴、及び効果の達成と、その為のパイピング（覆い布）を付設できる構造を提供できる。
【００１８】
請求項４の発明は、少なくとも、素材の色は黒色、パイピングの色は赤色、とすることを特徴とした釣竿用のロッドケースである。
【００１９】
従って、請求項４は、請求項１の特徴、及び効果の達成と、その為の素材の色は黒色、パイピングの色は赤色とする構造を提供できる。
【００２０】
請求項５の発明は、開口部の反対面に、複数個の取付け部を備えた取付け布を設け、取付け部に、肩掛けベルトの、少なくとも、二つのフックを着脱自在に係止することを特徴とした釣竿用のロッドケースである。
【００２１】
従って、請求項５は、請求項１の特徴、及び効果の達成と、開口部の反対面に取付け部を備えた取付け布を設け、この取付け布の取付け部に肩掛けベルトのフックを着脱自在に係止する構造が提供できる。
【００２２】
請求項６の発明は、取付け布には、複数の係止隙間を形成することを特徴とした釣竿用のロッドケースである。
【００２３】
従って、請求項６、請求項５の特徴、及び効果の達成と、その為の取付け布の構造を提供できる。
【図面の簡単な説明】
【００２４】
【図１】広幅スカート形態の釣竿グリップ部で、釣竿本体部の裾野側を包被し、かつ緊締ベルトで捲装締付け、併せて穂先保護部から釣竿本体部に設けたチャックを締付けて、複数本のロッドを収容した袋体を閉めた状態（ロッドケース、以下省略）の正面図
【図２】図１の釣竿グリップ部で、釣竿本体部を包被し、かつ緊締ベルトで捲装締付け、併せてチャックを締付け、袋体を閉めた状態の要部の拡大正面図
【図３】図１の広幅スカート形態の釣竿グリップ部を開放した状態の拡大正面図
【図４】図１のファスナーの開口部を示した拡大正面図
【図５−１】図１の取付け布の取付け部に、ベルトのフックを取付けた状態の側面図
【図５−２】図１の取付け布の取付け部に、ベルトのフックを取付けた状態の拡大側面図
【図６】広幅スカート形態の釣竿グリップ部を折曲げ、釣竿本体部の裾野側に添接重畳し、かつ緊締ベルトで捲装締付け、併せて穂先保護部から釣竿本体部に設けたチャックを締付けて、複数本のロッドを収容した袋体を閉めた状態の正面図
【図７】図６の釣竿グリップ部を、釣竿本体部に添設重畳し、かつ緊締ベルトで捲装締付け、併せてチャックを締付け、袋体を閉めた状態の要部の拡大正面図
【図８】袋体を展開した背面側より見た図
【図９−１】穂先保護部と緩衝材を示した拡大正面図
【図９−２】チャック、及びパイピングを示した拡大正面図
【図１０】ベルトの展開拡大正面図
【図１１】人がロッドケースを掛けた状態の模式図
【考案を実施するための形態】
【００２５】
図６〜図８に示した、ロッドケースの展開と要部の図示において、１は細長舟形形状のシート状素材で、向かって左側から右側に向かって、穂先保護部１００と、続いて、釣竿本体部１０１、最後に、釣竿グリップ部１０２の形態となっており、平面視した形状は例えば、船に例えると、船首部、船体部と、船尾部と同意義と考えられる。
【００２６】
このシート状素材１を折り畳むことで、袋体１ａが形成されるとともに、この折畳み開放側１ｂが開口部２となり、この開口部２には、ファスナー３が装着される。このファスナー３は、前記穂先保護部１００と釣竿本体部１０１迄である。従って、原則として、釣竿グリップ部１０２には、ファスナー３は備えていない。理由は、この釣竿グリップ部１０２で、釣竿本体部１０１の下側を包囲するためと、釣竿Ａ等の袋体１ａへの容易な挿入と、取出し等のためである。また、ロッドケースを地面等に置いた際のロッドが直接接触することを回避し、ロッド、及び／又は、その装飾等の保護にある。
【００２７】
尚、釣竿グリップ部１０２は、平面視して、方形状であって、その繋ぎ部から終端部迄、均等な幅員が望ましい。
【００２８】
図中５はファスナー３のスライダーである。スライダー５の始点は、釣竿本体部１０１と釣竿グリップ部１０２の繋ぎ部で、終端は穂先保護部１００の穂先である。従って、袋体１ａには、長手方向において、釣竿Ａを出し入れするに最適な空間が形成される。よって、取扱いの利便性とか、釣竿Ａの損傷回避、又は迅速な所作への利便性に寄与できる。
【００２９】
尚、袋体１ａの折畳み開放側１ｂには、パイピング６を、例えば、赤色で縫製することで、解れ防止と美感の醸成に有効できる。また、シート状素材１の、例えば、黒色に呈して、反対色の感覚がある。赤色を選択することで、袋体１ａの存在感と、確認の容易化、及び／又は、誤認防止等の有効性を備えている。勿論、前述の配色は一例である。また、パイピング６は、袋体１ａの周囲全体に施されており、釣竿グリップ部１０２の開口部２（折畳み開放側１ｂ）にも縫製されている。
【００３０】
図中７は、袋体１ａの折畳み側１ｃ（釣竿本体部１０１）に設けた取付け布であり、この取付け布７には、複数の取付け部７ａ、７ｂ（取付け布７に形成した、後述するフックを差込み係止する取付け隙間であり、例えば、取付け布７を縫合して形成する）を備えている。従って、少なくとも、２つの取付け部７ａに、肩掛けベルト８のフック８ａ、８ｂを係止すれば、肩掛けベルト７を肩に掛けすることで、ロッドケースを支持できる（図１１参照）。尚、保管時に、家具、鴨居等に支持することもできる。
【００３１】
尚、図２〜４、図５−２、図７は、ロッドケースの要部を拡大して示した各図であり、前述において、説明した各部材の理解を容易にする為であり、好ましい、本考案の一例であって、前述の説明の通りである。
【００３２】
また、図中１０は、釣竿グリップ部１０２に設けた一本、又は数本の締付けベルトであり、包被、又は二つ折り等し、折り曲げた状態の釣竿グリップ部１０２を、釣竿本体部１０１に緊締する。締付けベルト１０にパイピング６を縫製する。取付け、特徴等は前述の説明に準ずる。
【００３３】
尚、図中１１は、穂先保護部１００に内設した緩衝材であり、釣竿Ａの穂先Ａ１を保護する。
【００３４】
また、図中１２は板状の補強材であり、少なくとも、穂先保護部１００、及び／又は、釣竿本体部１０１に内設されており、釣竿Ａ、又は穂先Ａ１の保護を意図する。補強材１２は、例えば、穂先保護部１００、及び／又は、釣竿本体部１０１の要部とか、幅方向Ｘの一部、又は全体に内設する。
【００３５】
ロッドケース（袋体１ａ）に釣竿Ａを収容するには、ファスナー３を開放方向（穂先方向）にスライドし、開口部２を開放する。この開放後に、少なくとも、一本、乃至数本の釣竿Ａを収容し、開口部２をファスナー３で閉塞する。そして、釣竿グリップ部１０２を釣竿本体部１０１で包被するか、折畳み添設し、締付けベルト１０を緊締する。また、ロッドケースから釣竿Ａを、取り出す際は、略逆の所作で行える。
【００３６】
以上で説明した各実施例は、好ましい一例を示したものであり、同様な効果と特徴を有する他の構造、手段は、本考案の範疇である。
【符号の説明】
【００３７】
１  シート状素材
１ａ  袋体
１ｂ  折畳み開放側
１ｃ  折畳み側
１００  穂先保護部
１０１  釣竿本体部
１０２  釣竿グリップ部
２  開口部
３  ファスナー
５  スライダー
６  パイピング
７  取付け布
７ａ  取付け部
７ｂ  取付け部
８  ベルト
８ａ  フック
８ｂ  フック
１０  締付けベルト
１１  緩衝材
１２  補強材
Ａ  釣竿
Ａ１  穂先
Ｘ  幅方向
【図１】
0003220417.tif 000003
【図２】
0003220417.tif 000004
【図３】
0003220417.tif 000005
【図４】
0003220417.tif 000006
【図５−１】
0003220417.tif 000007
【図５−２】
0003220417.tif 000008
【図６】
0003220417.tif 000009
【図７】
0003220417.tif 000010
【図８】
0003220417.tif 000011
【図９−１】
0003220417.tif 000012
【図９−２】
0003220417.tif 000013
【図１０】
0003220417.tif 000014
【図１１】
0003220417.tif 000015
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
シート状素材を二つ折りにして、袋体とした釣竿用のロッドケースであって、
この袋体は、穂先保護部と、釣竿本体部と、釣竿グリップ部でなり、
前記穂先保護部には、緩衝材を備え、
少なくとも、前記釣竿本体部には、耐性の補強体を備え、
前記釣竿グリップ部は、前記穂先本体部のカバーか、又は前記釣竿本体部に折畳み添設かの、何れかができる広幅スカート形態（形状）を備え、
この釣竿グリップ部には、前記カバー、又は折畳み添設した際に、この釣竿グリップ部、及び前記釣竿本体部を一体にする、一本、又は複数本のベルトを備え、
前記袋体の開口部を閉めるファスナーを備え、
たことを特徴とした釣竿用のロッドケース。
【請求項２】
前記袋体には、前記開口部の反対面に、取手、及び／又は、肩掛けベルトを備えていることを特徴とした請求項１に記載の釣竿用のロッドケース。
【請求項３】
前記開口部の、少なくとも、対峙面に、パイピング（覆い布）を付設し、当該パイピングするとともに、このパイピングは、前記素材とは、別色とすることを特徴とした請求項１に記載の釣竿用のロッドケース。
【請求項４】
前記少なくとも、前記素材の色は黒色、前記パイピングの色は赤色、とすることを特徴とした請求項１に記載の釣竿用のロッドケース。
【請求項５】
前記開口部の反対面に、複数個の取付け部を備えた取付け布を設け、この取付け部に、前記肩掛けベルトの、少なくとも、二つのフックを着脱自在に係止することを特徴とした請求項２に記載の釣竿用のロッドケース。
【請求項６】
前記取付け布には、複数の係止隙間を形成することを特徴とした請求項５に記載の釣竿用のロッドケース。